(57)【要約】【課題】室温の検出精度の向上を図る空気調和機用のリモートコントロール装置等を提供する。【解決手段】空気調和機を操作する空気調和機用のリモートコントロール装置であって、載置面と、前記載置面に対して傾斜する操作面と、前記操作面の上端側と前記載置面とを繋ぐ側面部を有する筺体と、前記側面部に配置されたセンサの通気孔とを有する。【選択図】図３
2020148442.tif 000002
【特許請求の範囲】
【請求項１】
空気調和機を操作する空気調和機用のリモートコントロール装置であって、
載置面と、前記載置面に対して傾斜する操作面と、前記操作面の上端側と前記載置面とを繋ぐ側面部を有する筺体と、
前記側面部に配置されたセンサの通気孔と、
を有することを特徴とする空気調和機用のリモートコントロール装置。
【請求項２】
前記側面部は、
前記載置面から前記操作面に向かって前記載置面の中心から垂直方向に伸びる線から離れていくように傾斜していることを特徴とする請求項１に記載の空気調和機用のリモートコントロール装置。
【請求項３】
前記センサの通気孔は、
前記側面部の、前記載置面より前記操作面に近い箇所に配置されることを特徴とする請求項２に記載の空気調和機用のリモートコントロール装置。
【請求項４】
垂直に立ち上がる面に前記載置面が接するように前記リモートコントロール装置を設置したときに、前記センサの通気孔が上方に向いていることを特徴とする請求項１に記載の空気調和機用のリモートコントロール装置。
【発明の詳細な説明】
【技術分野】
【０００１】
本発明は、空気調和機用のリモートコントロール装置に関する。
【背景技術】
【０００２】
空気調和機用のリモートコントロール装置（以下、単にリモコンとも称する）は、リモコン本体の側面部に温度センサの通気孔が配置され、通気孔から取り込まれた外気で温度センサが環境温度を測定する方法が知られている（例えば、特許文献１）。
【先行技術文献】
【特許文献】
【０００３】
【特許文献１】特開２０１０−４８５０１号公報
【発明の概要】
【発明が解決しようとする課題】
【０００４】
しかしながら、リモコン本体を床置きや壁掛けにした場合、リモコン本体の側面部に配置された温度センサは、例えば、床や壁から発せられる輻射熱の影響を受ける。この輻射熱により、例えば夏は温度センサの検出温度が室温より高く、冬は検出温度が室温よりも低く検出されることがある。従って、温度センサが床や壁の輻射熱の影響を受けて、正確な室温を検出できないおそれがある。
【０００５】
本発明ではこのような問題に鑑み、室温の検出精度の向上を図る空気調和機用のリモートコントロール装置を提供することを目的とする。
【課題を解決するための手段】
【０００６】
一つの態様の空気調和機用のリモートコントロール装置は、空気調和機を操作する空気調和機用のリモートコントロール装置であって、載置面と、前記載置面に対して傾斜する操作面と、前記操作面の上端側と前記載置面とを繋ぐ側面部を有する筺体と、前記側面部に配置されたセンサの通気孔とを有する。
【発明の効果】
【０００７】
本発明は、室温の検出精度の向上を図ることを目的とする。
【図面の簡単な説明】
【０００８】
【図１】図１は、本実施例の空気調和システムの一例を示す説明図である。
【図２】図２は、リモコンの機能構成の一例を示すブロック図である。
【図３】図３は、リモコンの斜視図である。
【図４】図４は、リモコンを床面に置いた状態で上方から見た図である。
【図５】図５は、リモコンを温度センサが配置された側から見た側面図である。
【図６】図６は、リモコンを温度センサに向かって左手から見た側面図である。
【図７】図７は、リモコンの底面図である。
【図８】図８は、リモコンの底面側から見た図である。
【図９】図９は、ホルダ部材の正面図である。
【図１０】図１０は、リモコンをホルダ部材に装着する際の装着方法の一例を示す説明図である。
【図１１】図１１は、スリープモードの解除操作の一例を示す説明図である。
【発明を実施するための形態】
【０００９】
以下、図面に基づいて、本願の開示する空気調和機用のリモートコントロール装置の実施例を詳細に説明する。尚、本実施例により、開示技術が限定されるものではない。また、以下に示す各実施例は、矛盾を起こさない範囲で適宜変形しても良い。
【実施例】
【００１０】
図１は、本実施例の空気調和システム１の一例を示す説明図である。図１に示す空気調和システム１は、空気調和機の室内機２と、室内機２を操作するリモートコントロール装置（以下、単にリモコンとも称する）３とを有する。
【００１１】
室内機２は、例えば、室内に配置され、室内の空気を調和する空気調和機の一部である。尚、室内機２の利用者は、リモコン３の操作により室内機２を遠隔操作することが可能である。室内機２は、室内ファンや室内熱交換器が備えられ、室内熱交換器で冷媒と熱交換を行った室内空気が吹き出されることで、部屋の暖房、冷房、除湿等が行われる。また、図示しない室外機には、室外ファンや圧縮機等が備えられている。
【００１２】
図２は、リモコン３の機能構成の一例を示すブロック図である。図２に示すリモコン３は、通信部１１と、表示部１２と、操作部１３と、近接センサ１４と、温度センサ１５と、記憶部１６と、制御部１７とを有する。通信部１１は、室内機２と通信接続する通信ＩＦである。表示部１２は、各種情報を表示する。操作部１３は、各種コマンドを入力する。近接センサ１４は、利用者の操作を検知するセンサである。温度センサ１５は、室内環境の室内温度や室内湿度を測定する温度・湿度センサである。記憶部１６は、例えば、ＲＯＭ（Read  Only  Memory）やＲＡＭ(Random  Access  Memory)等を有し、データやプログラム等の各種情報を格納する。制御部１７は、リモコン３の全体を制御する、例えば、ＣＰＵ（Central  Processing  Unit）やプロセッサ等である。
【００１３】
制御部１７は、リモコン３の消費電力を節電するためのスリープモードを設定可能にしている。制御部１７は、スリープモード中の場合、近接センサ１４のみを稼働状態にし、例えば、表示部１２、操作部１３や温度センサ１４等への給電を停止してスリープ状態にしている。その結果、リモコン３全体の消費電力を節電できる。制御部１７は、近接センサ１４で利用者の操作を検知すると、スリープモードを解除してスリープモード中の表示部１２、操作部１３及び温度センサ１５等への給電を開始することになる。操作部１３には、後述する上下左右の選択ボタン３１と、後述する決定ボタン３２とを有する。
【００１４】
図３は、リモコン３の斜視図、図４は、リモコン３を床面に置いた状態で上方から見た図、図５は、リモコン３を温度センサ１５が配置された側から見た側面図、図６は、リモコン３を温度センサ１５に向かって左手から見た側面図、図７は、リモコン３の底面図、図８は、リモコン３の底面側から見た図である。図３に示すリモコン３は、柱状の筺体２０を有する。筺体２０は、操作面２１と、載置面２２と、操作面２１と載置面２２とを繋ぐ側面部２３とを有する。
【００１５】
操作面２１は、図６に示すように、載置面２２を基準として傾斜する第１の傾斜面２１Ａを有する。第１の傾斜面２１Ａは、載置面２２を基準にして、例えば、５°〜１５°傾斜している。リモコン３を載置面２２が水平になるように置いたときの、傾斜面２１の上端（最も高い点）Ｖ１、下端（最も低い点）Ｖ２を含み、垂直方向に広がる面を仮想平面Ｖとし、Ｖ１、Ｖ２から等距離にあり、仮想平面Ｖと直交する平面を仮想平面Ｈとしたときに、仮想平面Ｈでリモコン３を２分割した場合、第１の傾斜面２１Ａの下端Ｖ２が含まれる領域２１１Ａ（下端側領域）と、第１の傾斜面２１Ａの上端Ｖ１が含まれる領域２１１Ｂ（上端側領域）とを有する。更に、図４及び図５に示すように、第１の傾斜面２１Ａの中央付近には、表示部１２が配置されている。更に、操作面２１には、表示部１２の周辺に操作部１３が配置されている。操作部１３は、図４に示すように、上下左右の４個の選択ボタン３１と、１個の決定ボタン３２とを有する。選択ボタン３１は、表示部１２の表示画面上の選択項目を上方向に画面を送る上選択ボタン３１Ａと、表示画面上の選択項目を下方向に画面を送る下選択ボタン３１Ｂとを有する。更に、選択ボタン３１は、表示画面上のメニュー画面を右方向に画面を送る右選択ボタン３１Ｄと、表示画面上のメニュー画面を左方向に画面を送る左選択ボタン３１Ｃとを有する。決定ボタン３２は、表示部１２の表示画面上の選択項目を確定するためのボタンである。
【００１６】
リモコン３は、右選択ボタン３１Ｄのボタン操作に応じて、例えば、ホーム画面→運転モード画面→風量画面→風向き画面→機能画面→タイマ画面→ホーム画面→運転モード画面→…のトグル状の順方向に選択できる。また、リモコン３は、左選択ボタン３１Ｃのボタン操作に応じて、トグル状の順方向と逆方向にメニュー画面を選択できる。
【００１７】
リモコン３は、例えば、選択中のメニュー画面が運転モード画面の場合、下選択ボタン３１Ｂのボタン操作に応じて、例えば、冷房→除湿→自動→送風→冷房→…のトグル状の順方向に選択項目を選択できる。また、リモコン３は、上選択ボタン３１Ａのボタン操作に応じて、トグル状の順方向と逆方向に選択項目を選択できる。
【００１８】
操作面２１には、第１の傾斜面２１Ａの領域２１１Ａ（下端側領域）に近接センサ１４が配置されている。近接センサ１４は、例えば、赤外線センサであって、赤外線を発光する発光部１４Ａと、対象物に反射された赤外線を受光する受光部１４Ｂとを有し、発光部１４Ａが発光した赤外線が対象物で反射され、受光部１４Ｂで受光されたとき対象物の存在を検知する。近接センサ１４は、操作面２１上の赤外線の検知範囲内で、例えば、操作者の操作を検知する。操作者の操作とは、ボタン操作する際に近接センサ１４上を操作する手が通過する動作である。尚、近接センサ１４の検知範囲は、例えば、第１の傾斜面２１Ａにおける領域２１１Ａ（下端側領域）の上方にある空間である。また、表示部１２は、第１の傾斜面２１Ａにおいて近接センサ１４よりも領域２１１Ｂ（上端側領域）に近い部分に配置されている。
【００１９】
図６に示す操作面２１の下端Ｖ２側と、床面に置かれる載置面２２とを繋ぐ側面部２３は、仮想平面Ｖと仮想平面Ｈが交わる交線Ｌから離れていくように、操作面２１に向かって傾斜する第２の傾斜面４１を有する。操作面２１の上端Ｖ１側は、側面部２３の高さの高い側であるのに対し、操作面２１の下端Ｖ２側は、側面部２３の高さの低い側である。操作面２１の上端Ｖ１側と載置面２２とを繋ぐ側面部２３は、載置面２２の中心から垂直に操作面２１に向かう交線Ｌから離れる方向に膨らむ第３の傾斜面４２を有する。第３の傾斜面４２の操作面２１の上端Ｖ１側には、温度センサ１５の通気孔１５Ａが配置されている。温度センサ１５は、通気孔１５Ａを通じて室内の空気を取り込み、取り込まれた空気から室内の温度及び湿度を測定する。図７及び図８に示す載置面２２には、リモコン３を壁面に設置する際に使用するホルダ部材６０の突部６１Ｂに装着可能な凹部５１Ａを有する。ここで交線Ｌと操作面２１が交わる箇所を操作面２１の中心、また交線Ｌと載置面２２とが交わる箇所を載置面２２の中心とする。
【００２０】
図９は、ホルダ部材６０の正面図である。図９に示すホルダ部材６０は、背板部６１と、第１の保持部６２と、第２の保持部６３とを有する。第１の保持部６２は、背板部６１の中心付近に設けられ、リモコン３をホルダ部材６０に装着する際にリモコン３の載置面２２が当接することでリモコン３を保持する。第２の保持部６３は、リモコン３をホルダ部材６０に装着する際にリモコン３の第２の傾斜面４１が当接することでリモコン３を保持する。背板部６１には、ホルダ部材６０を壁面に取り付けるための３個のネジ穴６１Ａが形成されている。第１の保持部６２は、リモコン３をホルダ部材６０に装着する際に、リモコン３の載置面２２が当接してリモコン３を保持する第１の保持面６２Ａと、第１の保持面６２Ａ上に突出し、リモコン３の凹部５１Ａに装着可能な突部６２Ｂとを有する。
【００２１】
第２の保持部６３は、リモコン３をホルダ部材６０に装着する際に、リモコン３の第２の傾斜面４１に当接して当該リモコン３を保持する第２の保持面６３Ａと、第２の保持面６３Ａの左右の周縁端部に形成された、第２の保持面６３Ａに対して突出する一対のストッパ部６３Ｂとを有する。ストッパ部６３Ｂは、リモコン３をホルダ部材６０に装着する際に、ストッパ部６３Ｂがリモコン３の操作面２１に当接することで第２の保持部６３からリモコン３の脱落を防止する。温度センサ１５は、通気孔１５Ａから入り込む室内の空気の温度を検出する。
【００２２】
操作面２１は、載置面２２に対して傾斜し、その第１の傾斜面２１Ａ上には、近接センサ１４よりも上端Ｖ１側に表示部１２が配置されている。下端Ｖ２側は、利用者にとっては手前側であって、通常、利用者は、手前側から見たり操作したりする。その結果、利用者は、第１の傾斜面２１Ａの下端Ｖ２側の方向から表示部１２を見るため、表示部１２の表示画面が視認し易くなる。しかも、第１の傾斜面２１Ａには、表示部１２の周辺に操作部１３が配置されている。その結果、利用者は、第１の傾斜面２１Ａの下端Ｖ２側の方向から表示部１２の表示画面を見ながら、操作部１３のボタン操作がし易くなる。
【００２３】
図１１は、スリープモードの解除操作の一例を示す説明図である。尚、説明の便宜上、リモコン３は、スリープモードとする。利用者は、図１１に示すように、第１の傾斜面２１Ａ上の表示部１２を見ながら下端Ｖ２側の方向から操作部１３を操作する際に、例えば、スリープモード中のリモコン３の第１の傾斜面２１Ａの下端Ｖ２側にある近接センサ１４上に手を延ばすことになる。リモコン３内の制御部１７は、近接センサ１４を通じて利用者の操作を検知すると、スリープモードを解除する。そして、制御部１７は、表示部１２、操作部１３及び温度センサ１５への給電を開始する。前述した通り、下端Ｖ２側は、利用者にとっては手前側であって、通常、利用者は、手前側から見たり操作したりする。その結果、利用者は、スリープモード中であっても、第１の傾斜面２１Ａの下端側の方向から操作部１３に対してボタン操作する中で自然にスリープモードを解除できる。
【００２４】
図１０は、リモコン３をホルダ部材６０に装着する際の装着方法の一例を示す説明図である。先ず、利用者は、リモコン３を壁面に取り付ける際、ホルダ部材６０の第２の傾斜面６３Ａの外周面が床面（下方）に向くようにホルダ部材６０の背板部６１の背面を壁面に当接させ、背板部６１のネジ穴６１Ａにネジを挿入して背板部６１を壁面にネジ止めすることで、ホルダ部材６０を壁面に取り付ける。
【００２５】
更に、利用者は、壁面に取り付けられたホルダ部材６０の第１の保持面６２Ａ上にリモコン３の載置面２２を当接させて第１の保持面６２Ａの突部６２Ｂにリモコン３の凹部５１Ａを嵌め込む。更に、利用者は、ホルダ部材６０の第２の保持面６３Ａ上にリモコン３の第２の傾斜面４１を当接させてリモコン３を第２の保持面６３Ａ上に保持する。この際、ホルダ部材６０のストッパ部６３Ｂは、第２の保持面６３Ａ上に保持されたリモコン３の操作面２１の端部が当接することでリモコン３がホルダ部材６０から脱落するのを防いでいる。このように利用者は、載置面２２をホルダ部材６０の背板部６１に当接し、第２の傾斜面４１が第１の保持面６３Ａ内に保持するように、リモコン３をホルダ部材６０に装着する。その結果、リモコン３は、ホルダ部材６０を介して壁面に取り付けられることになる。この際、リモコン３の側面部２３の通気孔１５Ａは、天井（上方）に向くように位置することになる。しかも、通気孔１５Ａは、操作面２１の上端Ｖ１側、すなわち壁面から離れた位置に配置されている。また曲面となっている側面部２３上に配置されているため、通気孔１５Ａの孔の向きは壁面から離れる方向を向く。これらにより壁面からの輻射熱の影響を受け難い。従って、通気孔１５Ａを通じて室内温度を測定する温度センサ１５では、正確な室温を検出できる。
【００２６】
本実施例のリモコン３では、載置面２２と、載置面２２に対して傾斜する操作面２１と、操作面２１の上端Ｖ１側と載置面２２とを繋ぐ側面部２３を有する筺体２０と、操作面２１の上端Ｖ１側にある側面部２３に配置された温度センサ１５の通気孔１５Ａとを有する。例えば、リモコン３を床面に配置した場合、通気孔１５Ａが操作面２１の上端Ｖ１側にある側面部２３、すなわち床面から離れた位置に通気孔１５Ａが配置されている。また曲面となっている側面部２３上に配置されているため、通気孔１５Ａの孔の向きは床面から離れる方向を向く。これらにより床面からの輻射熱の影響を受け難い。従って、通気孔１５Ａを通じて室内温度を測定する温度センサ１５では、リモコン３を床面に配置した場合でも、正確な室温を検出できる。しかも、利用者は、操作面２１が見える方向から操作するため、操作面２１の上端Ｖ１側と載置面２２とを繋ぐ側面部２３に通気孔１５Ａが配置される。従って、利用者は、操作面２１が見える操作方向から通気孔１５が見えなくなるため、意匠性が向上する。
【００２７】
また、例えば、リモコン３を壁面に取り付けた場合、壁面から離れた位置に通気孔１５Ａが配置されいる。また曲面となっている側面部２３上に配置されているため、通気孔１５Ａの孔の向きは壁面から離れる方向を向く。これらにより壁面からの輻射熱の影響を受け難い。従って、通気孔１５Ａを通じて室内温度を測定する温度センサ１５では、リモコン３を壁面に配置した場合でも、正確な室温を検出できる。しかも、利用者は、操作面２１が見える方向から操作するため、操作面２１の上端Ｖ１側と載置面２２とを繋ぐ側面部２３に通気孔１５Ａが配置される。従って、利用者は、操作面２１が見える操作方向から通気孔１５Ａが見えなくなるため、意匠性が向上する。
【００２８】
また、リモコン３は、壁面にネジ止めされたホルダ部材６０に装着する際、第２の傾斜面４１の通気孔１５Ａが天方向を向いた状態で位置する。その結果、リモコン３の通気孔１５Ａは、天井側に向き、壁面から離れるように位置するため、温度センサ１５が壁の輻射熱の影響を受けることなく、正確な室温を測定できる。
【００２９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００３０】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００３１】
３  リモコン
１２  表示部
１３  操作部
１５  温度センサ
１５Ａ  通気孔
２０  筺体
２１  操作面
２１Ａ  第１の傾斜面
２２  載置面
２３  側面部
４２  第３の傾斜面
Ｖ１  上端
【図１】
2020148442.tif 000003
【図２】
2020148442.tif 000004
【図３】
2020148442.tif 000005
【図４】
2020148442.tif 000006
【図５】
2020148442.tif 000007
【図６】
2020148442.tif 000008
【図７】
2020148442.tif 000009
【図８】
2020148442.tif 000010
【図９】
2020148442.tif 000011
【図１０】
2020148442.tif 000012
【図１１】
2020148442.tif 000013